(57)【要約】【課題】リードとベースとの導通不良の発生を抑制すること。【解決手段】フォトインタラプタは、発光素子が接続された発光用リード１３と、発光用リード１３が接続されるベースとを備える。ベースは、第１〜第５切込部６１〜６５が形成された発光用差込領域６０Ａと、発光用差込領域６０Ａ内に設けられ、第１〜第５切込部６１〜６５によって形成された第１〜第４接触片７１〜７４とを有する。発光用リード１３は、発光用差込領域６０Ａに差し込まれており、第１〜第４接触片７１〜７４のうちの少なくとも１つの接触片と接触している。【選択図】図７
2020170802.tif 000002
【特許請求の範囲】
【請求項１】
発光素子又は受光素子の一方の素子が電気的に接続されたリードと、
前記リードと接続されるベースと、
を備え、
前記ベースは、
複数の切込部が形成された差込領域と、
前記差込領域内に設けられ、前記複数の切込部によって形成された４つ以上の接触片と、
を有し、
前記リードは、前記差込領域に差し込まれており、前記４つ以上の接触片のうちの少なくとも１つの接触片と接触している
フォトインタラプタ。
【請求項２】
前記接触片は、
固定端部と、
前記固定端部よりも前記差込領域の中心側に配置された自由端部と、
を有し、
前記接触片は、前記リードの差込方向に反るように湾曲しており、前記自由端部が前記リードに対して対向している
請求項１に記載のフォトインタラプタ。
【請求項３】
前記差込領域の形状は、前記ベースの平面視において四角形であり、
前記切込部の形状は、前記ベースの平面視において、前記差込領域の四隅から前記差込領域の中心に向けて斜めに延びており、
前記接触片の形状は、前記ベースの平面視において、
前記差込領域の中心に向かうにつれて先細る三角形又は台形である
請求項１又は２に記載のフォトインタラプタ。
【請求項４】
前記４つ以上の接触片は、前記ベースの平面視において、
第１方向に対向する第１接触片及び第２接触片と、
前記第１方向とは異なる第２方向に対向する第３接触片及び第４接触片と、
を含む
請求項１〜３のいずれか一項に記載のフォトインタラプタ。
【請求項５】
前記ベースの平面視において、前記第２方向は、前記第１方向と直交している
請求項４に記載のフォトインタラプタ。
【請求項６】
前記複数の切込部は、前記ベースの平面視において、
前記第１接触片と前記第３接触片との間に形成された第１切込部と、
前記第１接触片と前記第４接触片との間に形成された第２切込部と、
前記第２接触片と前記第３接触片との間に形成された第３切込部と、
前記第２接触片と前記第４接触片との間に形成された第４切込部と、
を含む
請求項４又は５に記載のフォトインタラプタ。
【請求項７】
前記複数の切込部は、前記ベースの平面視において、
前記差込領域の中心に形成され、前記第１切込部、前記第２切込部、前記第３切込部、及び前記第４切込部と繋がり、前記第１方向又は前記第２方向に延びる第５切込部を含む
請求項６に記載のフォトインタラプタ。
【請求項８】
前記差込領域の形状は、前記ベースの平面視において、前記第１接触片が形成される第１辺、前記第２接触片が形成される第２辺、前記第３接触片が形成される第３辺、及び前記第４接触片が形成される第４辺を有する四角形であり、
前記第１切込部は、前記第１辺と前記第３辺との交差点からなる前記差込領域の端部から前記差込領域の中心側に向けて斜めに延びており、
前記第２切込部は、前記第１辺と前記第４辺との交差点からなる前記差込領域の端部から前記差込領域の中心側に向けて斜めに延びており、
前記第３切込部は、前記第２辺と前記第３辺との交差点からなる前記差込領域の端部から前記差込領域の中心側に向けて斜めに延びており、
前記第４切込部は、前記第２辺と前記第４辺との交差点からなる前記差込領域の端部から前記差込領域の中心側に向けて斜めに延びており、
前記第５切込部は、前記第２方向に延びており、
前記第１接触片は、前記第１切込部、前記第２切込部、及び前記第５切込部によって形成されており、
前記第２接触片は、前記第３切込部、前記第４切込部、及び前記第５切込部によって形成されており、
前記第３接触片は、前記第１切込部及び前記第３切込部によって形成されており、
前記第４接触片は、前記第２切込部及び前記第４切込部によって形成されており、
前記第１接触片及び前記第２接触片の形状は、前記ベースの平面視において台形であり、
前記第３接触片及び前記第４接触片の形状は、前記ベースの平面視において三角形である
請求項７に記載のフォトインタラプタ。
【請求項９】
前記差込領域の形状は、前記ベースの平面視において、前記第１接触片が形成される第１辺、前記第２接触片が形成される第２辺、前記第３接触片が形成される第３辺、及び前記第４接触片が形成される第４辺を有する四角形であり、
前記第１切込部は、前記第１辺と前記第３辺との交差点からなる前記差込領域の端部から前記差込領域の中心側に向けて斜めに延びており、
前記第２切込部は、前記第１辺と前記第４辺との交差点からなる前記差込領域の端部から前記差込領域の中心側に向けて斜めに延びており、
前記第３切込部は、前記第２辺と前記第３辺との交差点からなる前記差込領域の端部から前記差込領域の中心側に向けて斜めに延びており、
前記第４切込部は、前記第２辺と前記第４辺との交差点からなる前記差込領域の端部から前記差込領域の中心側に向けて斜めに延びており、
前記第５切込部は、前記第１方向に延びており、
前記第１接触片は、前記第１切込部、前記第２切込部、及び前記第５切込部によって形成されており、
前記第２接触片は、前記第３切込部、前記第４切込部、及び前記第５切込部によって形成されており、
前記第３接触片は、前記第１切込部及び前記第３切込部によって形成されており、
前記第４接触片は、前記第２切込部及び前記第４切込部によって形成されており、
前記第１接触片及び前記第２接触片の形状は、前記ベースの平面視において三角形であり、
前記第３接触片及び前記第４接触片の形状は、前記ベースの平面視において台形である
請求項７に記載のフォトインタラプタ。
【請求項１０】
前記差込領域の形状は、前記ベースの平面視において、前記第１接触片が形成される第１辺、前記第２接触片が形成される第２辺、前記第３接触片が形成される第３辺、及び前記第４接触片が形成される第４辺を有する四角形であり、
前記第１切込部は、前記第１辺と前記第３辺との交差点からなる前記差込領域の端部から前記差込領域の中心に向けて斜めに延びており、
前記第２切込部は、前記第１辺と前記第４辺との交差点からなる前記差込領域の端部から前記差込領域の中心に向けて斜めに延びており、
前記第３切込部は、前記第２辺と前記第３辺との交差点からなる前記差込領域の端部から前記差込領域の中心に向けて斜めに延びており、
前記第４切込部は、前記第２辺と前記第４辺との交差点からなる前記差込領域の端部から前記差込領域の中心に向けて斜めに延びており、
前記第１接触片は、前記第１切込部及び前記第２切込部によって形成されており、
前記第２接触片は、前記第３切込部及び前記第４切込部によって形成されており、
前記第３接触片は、前記第１切込部及び前記第３切込部によって形成されており、
前記第４接触片は、前記第２切込部及び前記第４切込部によって形成されており、
前記第１接触片、前記第２接触片、前記第３接触片、及び前記第４接触片の形状は、前記ベースの平面視において三角形である
請求項６に記載のフォトインタラプタ。
【請求項１１】
前記リードは、前記差込領域に差し込まれるリード差込部を含み、
前記リード差込部は、第１リード側面、第２リード側面、第３リード側面、及び第４リード側面を有する四角柱状に形成され、
前記４つ以上の接触片は、
前記第１リード側面に対して対向する第１接触片と、
前記第２リード側面に対して対向する第２接触片と、
前記第３リード側面に対して対向する第３接触片と、
前記第４リード側面に対して対向する第４接触片と、
を含む
請求項１〜１０のいずれか一項に記載のフォトインタラプタ。
【請求項１２】
前記ベースは、第１接続部、第２接続部、及び第３接続部を含み、
前記第１接続部、前記第２接続部、及び前記第３接続部のそれぞれには、前記差込領域が形成されている
請求項１〜１１のいずれか一項に記載のフォトインタラプタ。
【請求項１３】
前記フォトインタラプタは、前記リードとして、
前記一方の素子としての発光素子が接続された発光用リードと、
前記一方の素子としての受光素子が接続された受光用リードと、
を有し、
前記ベースは、前記差込領域として、
前記発光用リードが差し込まれた発光用差込領域と、
前記受光用リードが差し込まれた受光用差込領域と、
を有する
請求項１〜１２のいずれか一項に記載のフォトインタラプタ。
【請求項１４】
前記ベースの平面視において、前記発光用差込領域の形状は、前記受光用差込領域の形状と同じである
請求項１３に記載のフォトインタラプタ。
【請求項１５】
前記リードは、銅又は鉄を含む
請求項１〜１４のいずれか一項に記載のフォトインタラプタ。
【請求項１６】
前記ベースは、銅又は鉄を含む
請求項１〜１５のいずれか一項に記載のフォトインタラプタ。
【請求項１７】
素子が電気的に接続されたリードと、
前記リードと接続されるベースと、
を備え、
前記ベースは、
複数の切込部が形成された差込領域と、
前記差込領域内に設けられ、前記複数の切込部によって形成された４つ以上の接触片と、
を有し、
前記リードは、前記差込領域に差し込まれており、前記複数の接触片のうちの少なくとも１つの接触片と接触している
電子部品。
【発明の詳細な説明】
【技術分野】
【０００１】
本開示は、フォトインタラプタ及び電子部品に関する。
【背景技術】
【０００２】
フォトインタラプタは、発光素子から受光素子までの光路を遮る物体の有無を検出するセンサとして、多くの電子機器などに用いられている（例えば特許文献１参照）。この種のフォトインタラプタは、発光素子が電気的に接続された発光用リード及び受光素子が電気的に接続された受光用リードが回路基板に実装されて利用される。
【先行技術文献】
【特許文献】
【０００３】
【特許文献１】特許第３８５４０７０号公報
【発明の概要】
【発明が解決しようとする課題】
【０００４】
ところで、上記のフォトインタラプタを、例えばワイヤハーネスが接続されるコネクタ部を含むベースユニットに対して発光用リード及び受光用リードを挿入する構成に変更することが考えられる。この構成では、ベースユニットにおけるコネクタ部と各リードとを電気的に接続するベースと、各リードとの接触不良が生じるおそれがある。なお、このような問題は、フォトインタラプタに限られず、リードをベースに差し込むことによって導通を図る構造の電子部品についても同様に発生する。
【０００５】
本開示の目的は、リードとベースとの導通不良の発生を抑制できるフォトインタラプタ及び電子部品を提供することにある。
【課題を解決するための手段】
【０００６】
上記課題を解決するフォトインタラプタは、発光素子又は受光素子の一方の素子が電気的に接続されたリードと、前記リードと接続されるベースと、を備え、前記ベースは、複数の切込部が形成された差込領域と、前記差込領域内に設けられ、前記複数の切込部によって形成された４つ以上の接触片と、を有し、前記リードは、前記差込領域に差し込まれており、前記４つ以上の接触片のうちの少なくとも１つの接触片と接触している。
【０００７】
この構成によれば、リードが差込領域に差し込まれた状態において、リードが差込方向に対して傾いたとしても４つ以上の接触片の少なくとも１つがリードと接触した状態を維持できる。したがって、リードとベースとの導通不良の発生を抑制できる。
【発明の効果】
【０００８】
上記フォトインタラプタ及び電子部品によれば、リードとベースとの導通不良の発生を抑制できる。
【図面の簡単な説明】
【０００９】
【図１】フォトインタラプタの一実施形態を示す分解斜視図。
【図２】図１の２−２線の断面図。
【図３】フォトインタラプタの発光モジュールの構造を示す模式的な正面図。
【図４】図３の４−４線の断面図。
【図５】フォトインタラプタのベースユニットのベースを示す模式的な平面図。
【図６】（ａ）はベースの発光用差込領域について、発光モジュールの発光用リード差込部が差し込まれる前の状態の発光用差込領域を示す平面図、（ｂ）は（ａ）の６ｂ−６ｂ線の断面図。
【図７】（ａ）は発光用リード差込部が発光用差込領域に差し込まれる前の状態における発光用差込領域と発光用リードとの関係を示す模式的な平面図、（ｂ）は発光用リード差込部が発光用差込領域に差し込まれた状態の発光用差込領域及び発光用リードの模式的な底面図。
【図８】（ａ）は図７（ｂ）の８ａ−８ａ線の断面図、（ｂ）は図７（ｂ）の８ｂ−８ｂ線の断面図。
【図９】比較例の差込領域について、発光用リード差込部が差し込まれる前の状態の差込領域を示す模式的な平面図。
【図１０】比較例の差込領域に、はんだ塊が形成された発光用リードが差し込まれる過程を示す模式的な断面図。
【図１１】（ａ）は本実施形態の発光用差込領域に、はんだ塊が形成された発光用リードが差し込まれた状態の発光用差込領域及び発光用リードの側面図、（ｂ）は（ａ）の底面図。
【図１２】変更例のフォトインタラプタについて、（ａ）〜（ｃ）は発光用リード差込部が発光用差込領域に差し込まれる前の状態における発光用差込領域の模式的な平面図。
【図１３】変更例のフォトインタラプタについて、（ａ）〜（ｃ）は発光用リード差込部が発光用差込領域に差し込まれる前の状態における発光用差込領域の模式的な平面図。
【図１４】変更例のフォトインタラプタを示す分解斜視図。
【図１５】電子部品を示す分解斜視図。
【発明を実施するための形態】
【００１０】
（実施形態）
以下、フォトインタラプタの実施形態について図面を参照して説明する。以下に示す実施形態は、技術的思想を具体化するための構成や方法を例示するものであり、各構成部品の材質、形状、構造、配置、寸法等を下記のものに限定するものではない。以下の実施形態は、種々の変更を加えることができる。
【００１１】
図１及び図２に示すように、フォトインタラプタ１は、検出ユニット１Ａ及びベースユニット１Ｂを備える。検出ユニット１Ａは、ベースユニット１Ｂに着脱可能に取り付けられている。検出ユニット１Ａは、発光モジュール１０、受光モジュール２０、及び封止樹脂３０を備える。検出ユニット１Ａは、所定方向に対向する発光モジュール１０及び受光モジュール２０を封止樹脂３０によって一体化した構成である。すなわち、フォトインタラプタ１は、透過型フォトインタラプタを構成している。検出ユニット１Ａは、発光モジュール１０から受光モジュール２０までの光路において物体Ｘ（図２参照）の有無を検出する。ベースユニット１Ｂは、フォトインタラプタ１が取り付けられる機器への取り付けを容易化するものである。ベースユニット１Ｂは、機器に着脱可能に取り付けられ、その機器の回路基板と例えばワイヤハーネスを介して電気的に接続される。
【００１２】
以降の説明において、発光モジュール１０から受光モジュール２０へ進行する検出光の進行方向をフォトインタラプタ１の長さ方向Ｄｘとし、長さ方向Ｄｘと直交する方向のうちの検出ユニット１Ａとベースユニット１Ｂとの配列方向をフォトインタラプタ１の高さ方向Ｄｚとし、長さ方向Ｄｘ及び高さ方向Ｄｚに直交する方向をフォトインタラプタ１の幅方向Ｄｗとする。長さ方向Ｄｘは、発光モジュール１０と受光モジュール２０との配列方向とも言える。図２は、検出ユニット１Ａの幅方向Ｄｗの中央において、長さ方向Ｄｘ及び高さ方向Ｄｚに沿う平面で検出ユニット１Ａを切った断面図である。
【００１３】
図２に示すように、発光モジュール１０は、検出光を出射する発光素子１１と、発光素子１１と電気的に接続された２本の発光用リード１２，１３と、発光用リード１２，１３の一部及び発光素子１１を封止する発光用透光樹脂１４とを備える。
【００１４】
発光素子１１は、例えば発光ダイオードが用いられている。一例では、発光素子１１は、ヒ化ガリウム（ＧａＡｓ）赤外発光ダイオードが用いられている。発光素子１１は、チップ型であり、実装面にカソード電極が形成され、長さ方向Ｄｘにおいて実装面とは反対側の面にアノード電極パッドが形成されている。
【００１５】
発光用リード１２，１３は、例えば銅（Ｃｕ）又は鉄（Ｆｅ）からなる。本実施形態では、発光用リード１２，１３は銅合金からなる。一例では、発光用リード１２，１３は、銅合金からなる板金をプレス加工機によって打ち抜くことによって形成されている。発光用リード１２，１３は、発光用透光樹脂１４から高さ方向Ｄｚに突出している。
【００１６】
図３に示すように、発光用リード１２は、高さ方向Ｄｚに延びている。発光用リード１２は、ダイパッド１２ａ及びリード線１２ｂに区分できる。長さ方向Ｄｘからみて、ダイパッド１２ａの形状は、高さ方向Ｄｚが長辺方向となり、幅方向Ｄｗが短辺方向となる矩形状である。ダイパッド１２ａには発光素子１１が搭載されている。リード線１２ｂは、ダイパッド１２ａの幅方向Ｄｗの端部かつ高さ方向Ｄｚの端部から幅方向Ｄｗにおいてダイパッド１２ａと隣り合うように配置されている。リード線１２ｂは、高さ方向Ｄｚに延びている。発光用リード１２は、発光素子１１のカソードと電気的に接続されている。なお、図３では、便宜上、発光用透光樹脂１４（二点鎖線）の形状を簡略化して示している。
【００１７】
発光用リード１３は、高さ方向Ｄｚからみて、発光用リード１２のダイパッド１２ａと重なる位置においてダイパッド１２ａと高さ方向Ｄｚに間隔をあけて配置されている。発光用リード１３は、発光用リード１２のリード線１２ｂと幅方向Ｄｗに間隔をあけて配置されている。発光用リード１３は、ダイパッド１３ａ及びリード線１３ｂに区分できる。幅方向Ｄｗからみて、ダイパッド１３ａ及びリード線１３ｂは、発光用リード１２のリード線１２ｂと重なるように配置されている。ダイパッド１３ａは、発光用リード１２のうちのダイパッド１２ａ側の端部からリード線１２ｂに向けて幅方向Ｄｗに突出している。ダイパッド１３ａと発光素子１１のアノード電極パッドとはワイヤ１５によって電気的に接続されている。発光用リード１３は、発光素子１１のアノードと電気的に接続されている。
【００１８】
図１〜図３に示すように、発光用透光樹脂１４は、発光素子１１が出射する光を透過可能なエポキシ樹脂又はシリコーン樹脂からなる。発光用透光樹脂１４は、発光素子１１と、発光用リード１２のダイパッド１２ａ及びリード線１２ｂのうちのダイパッド１２ａ側の一部と、発光用リード１３のダイパッド１３ａ及びリード線１３ｂのうちのダイパッド１３ａ側の一部とを覆っている。発光用透光樹脂１４には、出射部１４ａ（図１及び図２参照）が形成されている。出射部１４ａは、長さ方向Ｄｘにおいて発光素子１１と対向しており、発光素子１１からの光を出射させる部分である。図１に示すように、発光用リード１２は、発光用透光樹脂１４から突出した発光用リード差込部１２ｃを含む。発光用リード差込部１２ｃは、発光用リード１２のリード線１２ｂのうちの発光用透光樹脂１４から高さ方向Ｄｚに突出した部分である。発光用リード１３は、発光用透光樹脂１４から突出した発光用リード差込部１３ｃを含む。発光用リード差込部１３ｃは、発光用リード１３のリード線１３ｂのうちの発光用透光樹脂１４から高さ方向Ｄｚに突出した部分である。
【００１９】
図４に示すように、発光用リード１２の発光用リード差込部１２ｃ及び発光用リード１３の発光用リード差込部１３ｃを長さ方向Ｄｘ及び幅方向Ｄｗに沿う平面で切った断面形状はそれぞれ、略四角形状である。各リード差込部１２ｃ，１３ｃの長さ方向Ｄｘの寸法は例えば０．２ｍｍであり、幅方向Ｄｗの寸法は例えば０．４５ｍｍである。
【００２０】
発光用リード差込部１２ｃは、第１リード側面１２ｓａ、第２リード側面１２ｓｂ、第３リード側面１２ｓｃ、及び第４リード側面１２ｓｄを有する四角柱状に形成されている。一例では、第１リード側面１２ｓａ及び第２リード側面１２ｓｂは、長さ方向Ｄｘに面する。長さ方向Ｄｘにおいて、第１リード側面１２ｓａはダイパッド１２ａにおいて発光素子１１（ともに図３参照）が実装される面と同じ側の面であり、第２リード側面１２ｓｂは反対側の面である。第３リード側面１２ｓｃ及び第４リード側面１２ｓｄは、幅方向Ｄｗに面する。幅方向Ｄｗにおいて、第３リード側面１２ｓｃは発光用リード差込部１３ｃとは反対側の面であり、第４リード側面１２ｓｄは発光用リード差込部１３ｃ側の面である。
【００２１】
発光用リード差込部１３ｃは、第１リード側面１３ｓａ、第２リード側面１３ｓｂ、第３リード側面１３ｓｃ、及び第４リード側面１３ｓｄを有する四角柱状に形成されている。一例では、第１リード側面１３ｓａ及び第２リード側面１３ｓｂは、長さ方向Ｄｘに面する。長さ方向Ｄｘにおいて、第１リード側面１３ｓａはダイパッド１３ａにおいてワイヤ１５（ともに図３参照）が接続される面と同じ側の面であり、第２リード側面１３ｓｂは反対側の面である。第３リード側面１３ｓｃ及び第４リード側面１３ｓｄは、幅方向Ｄｗに面する。幅方向Ｄｗにおいて、第３リード側面１３ｓｃは発光用リード差込部１２ｃ側の面であり、第４リード側面１３ｓｄは発光用リード差込部１２ｃとは反対側の面である。
【００２２】
図２に示すように、受光モジュール２０は、検出光を受光する受光素子２１と、受光素子２１と電気的に接続された受光用リード２２，２３と、受光用リード２２，２３の一部及び受光素子２１を封止する受光用透光樹脂２４とを備える。
【００２３】
受光素子２１は、例えばフォトトランジスタが用いられている。受光素子２１は、チップ型であり、実装面にコレクタ電極が形成され、長さ方向Ｄｘにおいて実装面とは反対側の面にエミッタ電極パッドが形成されている。
【００２４】
受光用リード２２，２３は、例えば銅又は鉄からなる。本実施形態では、受光用リード２２，２３は銅合金からなる。一例では、受光用リード２２，２３は、銅合金からなる板金をプレス加工機によって打ち抜くことによって形成されている。受光用リード２２には、受光素子２１が搭載されている。受光用リード２２は、受光素子２１のコレクタと電気的に接続されている。受光素子２１のエミッタ電極パッドと受光用リード２３とは、ワイヤ２５によって電気的に接続されている。受光用リード２３は、受光素子２１のエミッタと電気的に接続されている。本実施形態では、受光用リード２２，２３のそれぞれの形状、及び受光用リード２２，２３の配置は、発光用リード１２，１３のそれぞれの形状、及び発光用リード１２，１３の配置と同様である。
【００２５】
受光用透光樹脂２４は、受光素子２１が受光する光を透過可能なエポキシ樹脂又はシリコーン樹脂からなる。受光用透光樹脂２４は、受光素子２１と、受光用リード２２，２３の一部とを覆っている。受光用透光樹脂２４には、入射部２４ａが形成されている。入射部２４ａは、長さ方向Ｄｘにおいて受光素子２１と対向しており、発光素子１１からの光を入射させる部分である。本実施形態では、入射部２４ａの高さ方向Ｄｚの寸法は、出射部１４ａの高さ方向Ｄｚの寸法よりも大きい。入射部２４ａの幅方向Ｄｗの寸法は、出射部１４ａの幅方向Ｄｗの寸法よりも大きい。図１に示すように、受光用リード２２は、受光用透光樹脂２４から突出した受光用リード差込部２２ｃを含む。受光用リード差込部２２ｃは、受光用リード２２のうちの受光用透光樹脂２４から高さ方向Ｄｚに突出した部分である。受光用リード２３は、受光用透光樹脂２４から突出した受光用リード差込部２３ｃを含む。受光用リード差込部２３ｃは、受光用リード２３のうちの受光用透光樹脂２４から高さ方向Ｄｚに突出した部分である。
【００２６】
封止樹脂３０は、不透明な樹脂材料からなる。一例では、封止樹脂３０は、黒色のエポキシ樹脂からなる。封止樹脂３０は、発光側封止部３１、受光側封止部３２、及び連結部３３を有する。本実施形態では、発光側封止部３１、受光側封止部３２、及び連結部３３は一体に形成されている。
【００２７】
発光側封止部３１及び受光側封止部３２は、長さ方向Ｄｘにおいて間隔をあけて配置されている。発光側封止部３１は、発光モジュール１０の大部分を封止するように構成されている。より詳細には、発光側封止部３１は、出射部１４ａを除く発光用透光樹脂１４及び発光用リード差込部１２ｃ，１３ｃのうちの発光用透光樹脂１４側の部分を覆っている。すなわち発光用リード差込部１２ｃ，１３ｃは、封止樹脂３０から突出している。発光用リード差込部１２ｃ，１３ｃのうちの封止樹脂３０から突出した部分は、発光モジュール１０の端子１２ｔ，１３ｔを構成する（図１参照）。発光モジュール１０の端子１２ｔ，１３ｔの表面には、錫（Ｓｎ）−鉛（Ｐｂ）合金のめっき層が形成されている。
【００２８】
受光側封止部３２は、受光モジュール２０の大部分を封止するように構成されている。より詳細には、受光側封止部３２は、入射部２４ａを除く受光用透光樹脂２４及び受光用リード２２，２３のうちの受光用透光樹脂２４側の部分を覆っている。すなわち受光用リード差込部２２ｃ，２３ｃは、封止樹脂３０から突出している。受光用リード差込部２２ｃ，２３ｃのうちの封止樹脂３０から突出した部分は、受光モジュール２０の端子２２ｔ，２３ｔを構成する（図１参照）。受光モジュール２０の端子２２ｔ，２３ｔの表面には、Ｓｎ−Ｐｂ合金のめっき層が形成されている。
【００２９】
連結部３３は、発光側封止部３１と受光側封止部３２との長さ方向Ｄｘの間に設けられ、発光側封止部３１と受光側封止部３２とを連結している。連結部３３は、発光側封止部３１及び受光側封止部３２よりも薄肉に形成され、高さ方向Ｄｚにおける発光側封止部３１のベースユニット１Ｂ側の端部と受光側封止部３２のベースユニット１Ｂ側の端部とを連結している。封止樹脂３０によって、発光モジュール１０と受光モジュール２０とが長さ方向Ｄｘにおいて距離をあけて互いに正対する姿勢で固定されている。
【００３０】
封止樹脂３０は、例えばモールド成形によって形成されている。詳述すると、封止樹脂３０を成形するための金型内に、発光モジュール１０及び受光モジュール２０が配置される。そして、金型内に封止樹脂３０となる樹脂材料を充填し、硬化させることによって、発光モジュール１０及び受光モジュール２０を覆う封止樹脂３０が形成される。
【００３１】
ベースユニット１Ｂは、ベース４０（図２参照）と、ベース４０を保持するハウジング５０とを備える。
ハウジング５０は、樹脂材料からなる。一例では、ハウジング５０は、黒色のエポキシ樹脂からなる。ハウジング５０は、ハウジング本体５１を有する。
【００３２】
ハウジング本体５１は、長さ方向Ｄｘの寸法が高さ方向Ｄｚ及び幅方向Ｄｗの寸法よりも大きい略細長箱状に形成されている。ハウジング本体５１には、検出ユニット１Ａが取り付けられる。ハウジング本体５１には、複数（本実施形態では４つ）の貫通孔５１ａが形成されている。複数の貫通孔５１ａは、発光モジュール１０の端子１２ｔ，１３ｔ及び受光モジュール２０の端子２２ｔ，２３ｔを挿通させるために設けられている。複数の貫通孔５１ａの位置は、発光モジュール１０の端子１２ｔ，１３ｔ、受光モジュール２０の端子２２ｔ，２３ｔの位置に応じて決められている。
【００３３】
ベース４０は、例えば銅又は鉄からなる。本実施形態では、ベース４０は銅合金からなる。ベース４０は、ハウジング５０を成形する金型内に予め配置された状態でハウジング５０を成形する、いわゆるインサート成形によってハウジング５０と一体化されている。ベース４０は、発光モジュール１０に対して電力供給し、受光モジュール２０からの信号を出力するための部品である。ベース４０は、ハウジング本体５１の複数の貫通孔５１ａに発光モジュール１０の端子１２ｔ，１３ｔ及び受光モジュール２０の端子２２ｔ，２３ｔが挿入された状態で、端子１２ｔ，１３ｔ，２２ｔ，２３ｔと電気的に接続される。
【００３４】
ベース４０の一端は、ハウジング５０の長さ方向Ｄｘの端部においてハウジング５０から露出している。ハウジング５０から露出したベース４０と、ハウジング５０の長さ方向Ｄｘの端部とによってコネクタ１Ｃが構成されている。コネクタ１Ｃは、例えば電子機器側に設けられたワイヤハーネスのコネクタ部（図示略）と結合可能である。
【００３５】
図５に示すように、ベース４０は、第１接続部４１、第２接続部４２、及び第３接続部４３を有する。第１接続部４１は、発光素子１１のカソードと電気的に接続されるための導電体である。すなわち第１接続部４１は、発光モジュール１０の端子１３ｔ（図１参照）と電気的に接続される。第２接続部４２は、発光素子１１のアノード及び受光素子２１のコレクタと電気的に接続するための導電体である。すなわち第２接続部４２は、発光モジュール１０の端子１２ｔ及び受光モジュール２０の端子２２ｔ（ともに図１参照）と電気的に接続される。第３接続部４３は、受光素子２１のエミッタと電気的に接続するための導電体である。すなわち第３接続部４３は、受光モジュール２０の端子２３ｔ（図１参照）と電気的に接続される。各接続部４１〜４３の厚さ寸法（高さ方向Ｄｚの寸法）は、０．０５ｍｍ〜０．２０ｍｍ程度である。本実施形態では、各接続部４１〜４３の厚さ寸法は、互いに等しい。本実施形態では、各接続部４１〜４３の厚さ寸法は、０．１５ｍｍである。
【００３６】
第１接続部４１は、幅広部４１ａ、幅狭部４１ｂ、及びピン部４１ｃを有する。本実施形態では、幅広部４１ａ、幅狭部４１ｂ、及びピン部４１ｃが一体に設けられている。幅狭部４１ｂは、幅広部４１ａとピン部４１ｃとを繋いでいる。
【００３７】
第２接続部４２は、第１幅広部４２ａ、第２幅広部４２ｂ、幅狭部４２ｃ、及びピン部４２ｄを有する。本実施形態では、第１幅広部４２ａ、第２幅広部４２ｂ、幅狭部４２ｃ、及びピン部４２ｄが一体に設けられている。幅狭部４２ｃは、第１幅広部４２ａと第２幅広部４２ｂとを繋いでいる。ピン部４２ｄは、第２幅広部４２ｂに対して幅狭部４２ｃとは長さ方向Ｄｘの反対側に位置している。
【００３８】
第３接続部４３の長さ方向Ｄｘの寸法は、第１接続部４１の長さ方向Ｄｘの寸法及び第２接続部４２の長さ方向Ｄｘの寸法よりも小さい。第３接続部４３は、幅広部４３ａ、幅狭部４３ｂ、及びピン部４３ｃを有する。本実施形態では、幅広部４３ａ、幅狭部４３ｂ、及びピン部４３ｃが一体に設けられている。なお、第３接続部４３から幅狭部４３ｂを省略してもよく、その場合には第２接続部４２の幅狭部４２ｃの幅を広げることもできる。各ピン部４１ｃ，４２ｄ，４３ｃは、コネクタ１Ｃ（図１参照）のコネクタピンを構成している。ピン部４１ｃ，４２ｄ，４３ｃは、幅方向Ｄｗに間隔をあけて配列されている。
【００３９】
幅方向Ｄｗからみて、第１接続部４１の幅広部４１ａは、第２接続部４２の第１幅広部４２ａと重なるように配置されている。幅広部４１ａ及び第１幅広部４２ａは、幅方向Ｄｗに間隔をあけて配列されている。幅広部４１ａには、発光用差込領域６０Ａが設けられている。発光用差込領域６０Ａには、発光モジュール１０の端子１３ｔ（発光用リード差込部２３ｃ）が差し込まれる。第１幅広部４２ａには、発光用差込領域６０Ｂが設けられている。発光用差込領域６０Ｂには、発光モジュール１０の端子１２ｔ（発光用リード差込部２２ｃ）が差し込まれる。
【００４０】
幅方向Ｄｗからみて、第２接続部４２の第２幅広部４２ｂは、第３接続部４３の幅広部４３ａと重なるように配置されている。第２幅広部４２ｂ及び幅広部４３ａは、幅方向Ｄｗに間隔をあけて配列されている。第２幅広部４２ｂ及び幅広部４３ａは、幅広部４１ａ及び第１幅広部４２ａに対してピン部４１ｃ，４２ｄ，４３ｃ側に配置されている。長さ方向Ｄｘからみて、第２幅広部４２ｂは、幅広部４１ａと重なるように配置されている。長さ方向Ｄｘからみて、幅広部４３ａは、第１幅広部４２ａと重なるように配置されている。第２幅広部４２ｂには、受光用差込領域６０Ｃが設けられている。受光用差込領域６０Ｃには、受光モジュール２０の端子２２ｔ（受光用リード差込部２２ｃ）が差し込まれる。幅広部４３ａには、受光用差込領域６０Ｄが設けられている。受光用差込領域６０Ｄには、受光モジュール２０の端子２３ｔ（受光用リード差込部２３ｃ）が差し込まれる。
【００４１】
本実施形態では、ベース４０（図５参照）を発光モジュール１０の発光用リード差込部１２ｃ，１３ｃ（ともに図１参照）の挿入方向からみた平面視において、発光用差込領域６０Ａ，６０Ｂの形状は、受光用差込領域６０Ｃ，６０Ｄの形状と同じである。また、平面視において、発光用差込領域６０Ａの形状は、発光用差込領域６０Ｂの形状と同じである。平面視において、受光用差込領域６０Ｃの形状は、受光用差込領域６０Ｄの形状と同じである。このように、本実施形態では、平面視における各差込領域６０Ａ〜６０Ｄの形状は同じである。
【００４２】
本実施形態では、平面視において発光用差込領域６０Ａ，６０Ｂの向きは、受光用差込領域６０Ｃ，６０Ｄの向きと同じである。また、平面視において、発光用差込領域６０Ａの向きは、発光用差込領域６０Ｂの向きと同じである。また、平面視において、受光用差込領域６０Ｃの向きは、受光用差込領域６０Ｄの向きと同じである。このように、本実施形態では、平面視における各差込領域６０Ａ〜６０Ｄの向きは同じである。
【００４３】
図６〜図８を参照して、発光用差込領域６０Ａの詳細な構成について説明する。なお、発光用差込領域６０Ｂ及び受光用差込領域６０Ｃ，６０Ｄ（ともに図５参照）は、発光用差込領域６０Ａと同様の構成である。このため、発光用差込領域６０Ｂ及び受光用差込領域６０Ｃ，６０Ｄの詳細な構成の説明については省略する。
【００４４】
図６（ａ）に示すように、本実施形態では、平面視において、破線によって囲まれた領域である発光用差込領域６０Ａは、長さ方向Ｄｘが長辺方向となり、幅方向Ｄｗが短辺方向となる矩形状である。一例では、発光用差込領域６０Ａの長さ方向Ｄｘの寸法は１，１ｍｍであり、幅方向Ｄｗの寸法は０．８５ｍｍである。以降の説明において、矩形状の発光用差込領域６０Ａの各辺を第１辺Ｓ１、第２辺Ｓ２、第３辺Ｓ３、及び第４辺Ｓ４とする。第１辺Ｓ１及び第２辺Ｓ２は、長さ方向Ｄｘにおいて間隔をあけて対向し、幅方向Ｄｗに沿って延びる辺である。第１辺Ｓ１は、第２辺Ｓ２に対してコネクタ１Ｃ側に位置している。第３辺Ｓ３及び第４辺Ｓ４は、幅方向Ｄｗにおいて間隔をあけて対向し、長さ方向Ｄｘに沿って延びる辺である。第３辺Ｓ３は、第４辺Ｓ４に対して第２接続部４２の第１幅広部４２ａ（図５参照）側に位置している。発光用差込領域６０Ａは、この領域６０Ａの四隅である交差点Ｃｒ１，Ｃｒ２，Ｃｒ３，Ｃｒ４を有する。交差点Ｃｒ１は、発光用差込領域６０Ａの四隅のうちの第１辺Ｓ１と第３辺Ｓ３とが交差する部分であり、発光用差込領域６０Ａの端部を構成している。交差点Ｃｒ２は、発光用差込領域６０Ａの四隅のうちの第１辺Ｓ１と第４辺Ｓ４とが交差する部分であり、発光用差込領域６０Ａの端部を構成している。交差点Ｃｒ３は、発光用差込領域６０Ａのうちの第２辺Ｓ２と第３辺Ｓ３とが交差する部分であり、発光用差込領域６０Ａの端部を構成している。交差点Ｃｒ４は、発光用差込領域６０Ａのうちの第２辺Ｓ２と第４辺Ｓ４とが交差する部分であり、発光用差込領域６０Ａの端部を構成している。なお、発光用差込領域６０Ａは、平面視において、幅方向Ｄｗが長辺方向となり、長さ方向Ｄｘが短辺方向となる矩形状、又は正方形であってもよい。
【００４５】
発光用差込領域６０Ａには、複数（本実施形態では５つ）の切込部が形成されている。本実施形態では、複数の切込部は、第１切込部６１、第２切込部６２、第３切込部６３、第４切込部６４、及び第５切込部６５を含む。これら切込部６１〜６５によって、発光用差込領域６０Ａ内には、第１接触片７１、第２接触片７２、第３接触片７３、及び第４接触片７４の４つの接触片が形成されている。
【００４６】
第１切込部６１は、交差点Ｃｒ１から発光用差込領域６０Ａの中心Ｃｐ側に向けて斜めに延びている。より詳細には、第１切込部６１は、交差点Ｃｒ１から第２辺Ｓ２側に向かうにつれて交差点Ｃｒ１から第４辺Ｓ４側に向けて傾斜するように延びている。第１切込部６１の中心Ｃｐ側の端部は、中心Ｃｐよりも第３辺Ｓ３側に位置している。第１切込部６１は、その中心Ｃｐ側の端部において第５切込部６５に連通している。
【００４７】
第２切込部６２は、交差点Ｃｒ２から発光用差込領域６０Ａの中心Ｃｐ側に向けて斜めに延びている。より詳細には、第２切込部６２は、交差点Ｃｒ２から第２辺Ｓ２側に向かうにつれて交差点Ｃｒ２から第３辺Ｓ３側に向けて傾斜するように延びている。第２切込部６２の中心Ｃｐ側の端部は、中心Ｃｐよりも第４辺Ｓ４側に位置している。第２切込部６２は、その中心Ｃｐ側の端部において第５切込部６５に連通している。
【００４８】
第３切込部６３は、交差点Ｃｒ３から発光用差込領域６０Ａの中心Ｃｐ側に向けて斜めに延びている。より詳細には、第３切込部６３は、交差点Ｃｒ３から第１辺Ｓ１側に向かうにつれて交差点Ｃｒ３から第４辺Ｓ４側に向けて傾斜するように延びている。第３切込部６３の中心Ｃｐ側の端部は、中心Ｃｐよりも第３辺Ｓ３側に位置している。第３切込部６３は、その中心Ｃｐ側の端部において第５切込部６５に連通している。
【００４９】
第４切込部６４は、交差点Ｃｒ４から発光用差込領域６０Ａの中心Ｃｐ側に向けて斜めに延びている。より詳細には、第４切込部６４は、交差点Ｃｒ４から第１辺Ｓ１側に向かうにつれて交差点Ｃｒ４から第３辺Ｓ３側に向けて傾斜するように延びている。第４切込部６４の中心Ｃｐ側の端部は、中心Ｃｐよりも第４辺Ｓ４側に位置している。第４切込部６４は、その中心Ｃｐ側の端部において第５切込部６５に連通している。
【００５０】
第５切込部６５は、発光用差込領域６０Ａの長さ方向Ｄｘの中央に位置し、幅方向Ｄｗに延びている。第５切込部６５の幅方向Ｄｗの中央は、発光用差込領域６０Ａの中心Ｃｐとなる。第５切込部６５の幅方向Ｄｗの寸法は、発光用リード差込部１３ｃの幅方向Ｄｗの寸法よりも小さい。第５切込部６５の長さ方向Ｄｘの寸法は、発光用リード差込部１３ｃの長さ方向Ｄｘの寸法よりも小さい。本実施形態では、第５切込部６５の幅方向Ｄｗの寸法は、０．２５ｍｍであり、第５切込部６５の長さ方向Ｄｘの寸法は、０．０１ｍｍ〜０．０３ｍｍ程度である。なお、発光用リード差込部１３ｃの幅方向Ｄｗの寸法は、幅方向Ｄｗにおける発光用リード差込部１３ｃの第３リード側面１３ｓｃから第４リード側面１３ｓｄまでの長さである。また発光用リード差込部１３ｃの長さ方向Ｄｘの寸法は、長さ方向Ｄｘにおける発光用リード差込部１３ｃの第１リード側面１３ｓａから第２リード側面１３ｓｂまでの長さである。
【００５１】
第１接触片７１は、第１切込部６１、第２切込部６２、及び第５切込部６５によって形成されている。平面視において、第１接触片７１の形状は、第１辺Ｓ１から発光用差込領域６０Ａの中心Ｃｐに向かうにつれて先細る台形である。本実施形態では、平面視における第１接触片７１の形状は、等脚台形である。台形である第１接触片７１の上底は第５切込部６５によって形成され、下底は第１辺Ｓ１によって形成されている。台形の一対の脚のうちの一方は第１切込部６１によって形成され、他方は第２切込部６２によって形成されている。
【００５２】
第１接触片７１は、固定端部７１ａと、固定端部７１ａよりも発光用差込領域６０Ａの中心Ｃｐ側に配置された自由端部７１ｂとを有する。固定端部７１ａは、第１接触片７１における発光用差込領域６０Ａの第１辺Ｓ１側の端部である。固定端部７１ａは、台形となる第１接触片７１の下底を含む。自由端部７１ｂは、第１接触片７１における中心Ｃｐ側の端部である。自由端部７１ｂは、台形となる第１接触片７１の上底を含む。
【００５３】
第２接触片７２は、第３切込部６３、第４切込部６４、及び第５切込部６５によって形成されている。平面視において、第２接触片７２の形状は、第２辺Ｓ２から発光用差込領域６０Ａの中心Ｃｐに向かうにつれて先細る台形である。本実施形態では、平面視における第２接触片７２の形状は、等脚台形である。台形である第２接触片７２の上底は第５切込部６５によって形成され、下底は第２辺Ｓ２によって形成されている。台形の一対の脚のうちの一方は第３切込部６３によって形成され、他方は第４切込部６４によって形成されている。平面視において、第２接触片７２の面積は、第１接触片７１の面積と等しい。
【００５４】
第２接触片７２は、固定端部７２ａと、固定端部７２ａよりも発光用差込領域６０Ａの中心Ｃｐ側に配置された自由端部７２ｂとを有する。固定端部７２ａは、第２接触片７２における発光用差込領域６０Ａの第２辺Ｓ２側の端部である。固定端部７２ａは、台形となる第２接触片７２の下底を含む。自由端部７２ｂは、第２接触片７２における中心Ｃｐ側の端部である。自由端部７２ｂは、台形となる第２接触片７２の上底を含む。自由端部７２ｂは、第５切込部６５を挟んで自由端部７１ｂと隣り合っている。
【００５５】
第３接触片７３は、第１切込部６１及び第３切込部６３によって形成されている。平面視において、第３接触片７３の形状は、第３辺Ｓ３から発光用差込領域６０Ａの中心Ｃｐに向かうにつれて先細る三角形である。本実施形態では、平面視における第３接触片７３の形状は、第３辺Ｓ３を底辺とした二等辺三角形である。二等辺三角形である第３接触片７３の等辺の一方は第１切込部６１によって形成され、他方は第３切込部６３によって形成されている。平面視において、第３接触片７３の面積は、第１接触片７１の面積よりも小さい。
【００５６】
第３接触片７３は、固定端部７３ａと、固定端部７３ａよりも発光用差込領域６０Ａの中心Ｃｐ側に配置された自由端部７３ｂとを有する。固定端部７３ａは、第３接触片７３における発光用差込領域６０Ａの第３辺Ｓ３側の端部である。固定端部７３ａは、二等辺三角形となる第３接触片７３の底辺を含む。自由端部７３ｂは、第３接触片７３における中心Ｃｐ側の端部である。自由端部７３ｂは、幅方向Ｄｗにおいて第５切込部６５と隣り合うように位置している。
【００５７】
第４接触片７４は、第２切込部６２及び第４切込部６４によって形成されている。平面視において、第４接触片７４の形状は、第４辺Ｓ４から発光用差込領域６０Ａの中心Ｃｐに向かうにつれて先細る三角形である。本実施形態では、平面視における第４接触片７４の形状は、第４辺Ｓ４を底辺とした二等辺三角形である。二等辺三角形である第４接触片７４の等辺の一方は第２切込部６２によって形成され、他方は第４切込部６４によって形成されている。平面視において、第４接触片７４の面積は、第３接触片７３の面積と等しい。
【００５８】
第４接触片７４は、固定端部７４ａと、固定端部７４ａよりも発光用差込領域６０Ａの中心Ｃｐ側に配置された自由端部７４ｂとを有する。固定端部７４ａは、第４接触片７４における発光用差込領域６０Ａの第４辺Ｓ４側の端部である。固定端部７４ａは、二等辺三角形となる第４接触片７４の底辺を含む。自由端部７４ｂは、第４接触片７４における中心Ｃｐ側の端部である。自由端部７４ｂは、幅方向Ｄｗにおいて第５切込部６５と隣り合うように位置している。長さ方向Ｄｘからみて、自由端部７４ｂは、第３接触片７３の自由端部７３ｂと重なっている。
【００５９】
以上説明したとおり、第１切込部６１は第１接触片７１と第３接触片７３との間に形成され、第２切込部６２は第１接触片７１と第４接触片７４との間に形成され、第３切込部６３は第２接触片７２と第３接触片７３との間に形成され、第４切込部６４は第２接触片７２と第４接触片７４との間に形成されている。第５切込部６５は、第１接触片７１と第２接触片７２との間に形成されている。
【００６０】
図６（ａ）に示すとおり、第１方向の一例である長さ方向Ｄｘにおいて、第１接触片７１は第２接触片７２と対向している。第２方向の一例である幅方向Ｄｗにおいて、第３接触片７３は第４接触片７４と対向している。平面視において、長さ方向Ｄｘは幅方向Ｄｗと直交している。
【００６１】
図６（ｂ）に示すように、第１接触片７１は、固定端部７１ａから自由端部７１ｂに向かうにつれて高さ方向Ｄｚの下方側に傾斜している。第２接触片７２は、固定端部７２ａから自由端部７２ｂに向かうにつれて高さ方向Ｄｚの下方側に傾斜している。また図示していないが、第３接触片７３は、固定端部７３ａから自由端部７３ｂに向かうにつれて高さ方向Ｄｚの下方側に傾斜している。第４接触片７４は、固定端部７４ａから自由端部７４ｂに向かうにつれて高さ方向Ｄｚの下方側に傾斜している。
【００６２】
次に、発光モジュール１０の発光用リード差込部１３ｃ（端子１３ｔ）が発光用差込領域６０Ａに差し込まれた状態における発光用リード差込部１３ｃと各接触片７１〜７４との関係について説明する。
【００６３】
図７（ａ）に示すように、発光用リード差込部１３ｃが発光用差込領域６０Ａに差し込まれる場合、発光用差込領域６０Ａに対する発光用リード差込部１３ｃの向きは例えば次のとおりである。すなわち、発光用リード差込部１３ｃの第１リード側面１３ｓａは発光用差込領域６０Ａの第１辺Ｓ１側に位置し、第２リード側面１３ｓｂは第２辺Ｓ２側に位置し、第３リード側面１３ｓｃは第３辺Ｓ３側に位置し、第４リード側面１３ｓｄは第４辺Ｓ４側に位置している。
【００６４】
図７（ｂ）に示すように、発光用リード差込部１３ｃが発光用差込領域６０Ａに差し込まれた状態では、第１接触片７１は第１リード側面１３ｓａに対向し、好ましくは接触し、第２接触片７２は第２リード側面１３ｓｂに対向し、第３接触片７３は第３リード側面１３ｓｃに対向し、第４接触片７４は第４リード側面１３ｓｄに対向している。
【００６５】
詳述すると、図８（ａ）（ｂ）に示すように、各接触片７１〜７４はそれぞれ、発光用リード差込部１３ｃの差込方向Ｄｓ（図８（ａ）の白抜き矢印の方向）に反るように湾曲し、発光用リード差込部１３ｃに対して対向している。具体的には、第１接触片７１は、固定端部７１ａを支点として差込方向Ｄｓに向けて湾曲している。第１接触片７１は、自由端部７１ｂにおいて第１リード側面１３ｓａと対向しており、好ましくは接触している。第２接触片７２は、固定端部７２ａを支点として差込方向Ｄｓに向けて湾曲している。第２接触片７２は、自由端部７２ｂにおいて第２リード側面１３ｓｂと対向しており、好ましくは接触している。図８（ｂ）に示すように、第３接触片７３は、固定端部７３ａを支点として差込方向Ｄｓ（図８（ｂ）の白抜き矢印の方向）に向けて湾曲している。第３接触片７３は、自由端部７３ｂにおいて第３リード側面１３ｓｃと対向しており、好ましくは接触している。第４接触片７４は、固定端部７４ａを支点として差込方向Ｄｓに向けて湾曲している。第４接触片７４は、自由端部７４ｂにおいて第４リード側面１３ｓｄと対向しており、好ましくは接触している。
【００６６】
図９〜図１１を参照して、本実施形態の作用について説明する。
図９及び図１０は、比較例の差込領域１００Ｘを示す。差込領域１００Ｘは、発光用差込領域６０Ａと同様に長さ方向Ｄｘが長辺方向となり、幅方向Ｄｗが短辺方向となる矩形状に形成されている。差込領域１００Ｘの各辺を第１辺ＳＸ１、第２辺ＳＸ２、第３辺ＳＸ３、及び第４辺ＳＸ４とする。各辺ＳＸ１〜ＳＸ４は、発光用差込領域６０Ａの各辺Ｓ１〜Ｓ４と対応する。
【００６７】
図９に示すように、差込領域１００Ｘは、３つの切込部である第１切込部１０１、第２切込部１０２、及び第３切込部１０３を有する。第１切込部１０１は、第１辺ＳＸ１と第３辺ＳＸ３との交差点Ｃｘ１から第２辺ＳＸ２と第３辺ＳＸ３との交差点Ｃｘ３までにわたり第３辺ＳＸ３に沿って形成されている。第２切込部１０２は、第１辺ＳＸ１と第４辺ＳＸ４との交差点Ｃｘ２から第２辺ＳＸ２と第４辺ＳＸ４との交差点Ｃｘ４までにわたり第４辺ＳＸ４に沿って形成されている。第３切込部１０３は、差込領域１００Ｘの長さ方向Ｄｘの中央において幅方向Ｄｗに沿って延びている。第３切込部１０３は、第１切込部１０１と第２切込部１０２とに連通している。第３切込部１０３の幅方向Ｄｗの寸法は、発光モジュール１０の発光用リード差込部１３ｃ（図４参照）の幅方向Ｄｗの寸法よりも大きい。差込領域１００Ｘ内において、各切込部１０１〜１０３によって第１接触片１１１及び第２接触片１１２が形成されている。差込領域１００Ｘの平面視において、第１接触片１１１及び第２接触片１１２の形状はそれぞれ、四角形である。長さ方向Ｄｘにおいて、第１接触片１１１は、第２接触片１１２と対向している。発光用リード差込部１３ｃは、差込領域１００Ｘに対して第１リード側面１３ｓａ（図４参照）が第１辺ＳＸ１側となり、第２リード側面１３ｓｂ（図４参照）が第２辺ＳＸ２側となるような向きで差込領域１００Ｘに差し込まれる。
【００６８】
ところで、図１０に示すように、例えば発光用リード差込部１３ｃの表面に形成されたＳｎ−Ｐｂのめっき層では、はんだ塊１６が形成される場合がある。一例では、発光用リード差込部１３ｃの第１リード側面１３ｓａにはんだ塊１６が形成される。この場合、発光用リード差込部１３ｃが差込領域１００Ｘに差し込まれると、はんだ塊１６は第１接触片１１１を押して第１接触片１１１が差込方向Ｄｓに向けて反るように第１接触片１１１を湾曲させる。はんだ塊１６が差込領域１００Ｘを通過した後、第１接触片１１１は発光用リード差込部１３ｃの第１リード側面１３ｓａに対して離れた状態が維持される。すなわち、第１接触片１１１は、発光用リード差込部１３ｃに対して非接触状態となる。一方、第２接触片１１２は、差込方向Ｄｓに向けて反るように湾曲し、発光用リード差込部１３ｃの第２リード側面１３ｓｂに接触している。
【００６９】
ここで、発光用リード差込部１３ｃに外力が加えられたり、フォトインタラプタが高温環境下におかれたりすると、発光用リード差込部１３ｃが高さ方向Ｄｚに対して傾く場合がある。例えば発光用リード差込部１３ｃが第１接触片１１１に向けて傾くと、第２接触片１１２が発光用リード差込部１３ｃの第２リード側面１３ｓｂから離間する場合がある。その結果、第１接触片１１１及び第２接触片１１２がともに発光用リード差込部１３ｃに対して非接触状態となり、発光用リード差込部１３ｃとベースとの導通が確保できない場合がある。
【００７０】
図１１（ａ）（ｂ）に示すように、本実施形態の発光用差込領域６０Ａにはんだ塊１６が第１リード側面１３ｓａに形成された発光用リード差込部１３ｃが差し込まれた場合、第１接触片７１は、はんだ塊１６によって差込方向Ｄｓに向けて反るように湾曲する。そして、はんだ塊１６が発光用差込領域６０Ａを通過した後、第１接触片７１は、第１リード側面１３ｓａに対して離れた状態で対向する。すなわち、第１接触片７１は、発光用リード差込部１３ｃに対して非接触状態となる。一方、第２接触片７２は、差込方向Ｄｓに向けて湾曲し、発光用リード差込部１３ｃの第２リード側面１３ｓｂに対して隙間なく対向している、すなわち第２リード側面１３ｓｂに対して接触している。第３接触片７３は、差込方向Ｄｓに向けて湾曲し、第３リード側面１３ｓｃに対して隙間なく対向している、すなわち第３リード側面１３ｓｃに対して接触している。第４接触片７４は、差込方向Ｄｓに向けて湾曲し、第４リード側面１３ｓｄに対して隙間なく対向している、すなわち第４リード側面１３ｓｄに対して接触している。
【００７１】
ここで、発光用リード差込部１３ｃが高さ方向Ｄｚに対して第１接触片７１に向けて傾く場合、第２接触片７２は第２リード側面１３ｓｂから離間してしまう。すなわち第２接触片７２は第２リード側面１３ｓｂに対して離れた状態で対向する。しかし、第３接触片７３は第３リード側面１３ｓｃに接触した状態が維持され、第４接触片７４が第４リード側面１３ｓｄに接触した状態が維持される。
【００７２】
また、発光用リード差込部１３ｃが高さ方向Ｄｚに対して発光用差込領域６０Ａの交差点Ｃｒ１に向けて傾く場合、第２接触片７２は第２リード側面１３ｓｂから離間し、第４接触片７４は第４リード側面１３ｓｄから離間してしまう。すなわち第２接触片７２は第２リード側面１３ｓｂに対して離れた状態で対向し、第４接触片７４は第４リード側面１３ｓｄに対して離れた状態で対向する。しかし、第３接触片７３が第３リード側面１３ｓｃに接触した状態が維持される。
【００７３】
また、発光用リード差込部１３ｃが高さ方向Ｄｚに対して発光用差込領域６０Ａの交差点Ｃｒ２に向けて傾く場合、第２接触片７２は第２リード側面１３ｓｂから離間し、第３接触片７３は第３リード側面１３ｓｃから離間してしまう。すなわち第２接触片７２は第２リード側面１３ｓｂに対して離れた状態で対向し、第３接触片７３は第３リード側面１３ｓｃに対して離れた状態で対向する。しかし、第４接触片７４が第４リード側面１３ｓｄに接触した状態が維持される。
【００７４】
このように、発光用リード差込部１３ｃが傾いたとしても各接触片７１〜７４のうちの少なくとも１つの接触片は、発光用リード差込部１３ｃと接触した状態が維持されるため、発光用リード差込部１３ｃとベースユニット１Ｂとの導通が確保される。なお、発光用リード差込部１２ｃ、受光用リード２２，２３の受光用リード差込部２２ｃ，２３ｃについても発光用リード差込部１３ｃと同様に、傾いたとしてもベースユニット１Ｂとの導通が確保される。
【００７５】
本実施形態のフォトインタラプタ１によれば、以下の効果が得られる。
（１）ベースユニット１Ｂは、発光用差込領域６０Ａ，６０Ｂと、発光用差込領域６０Ａ，６０Ｂ内に設けられ、第１〜第５切込部６１〜６５によって形成された第１〜第４接触片７１〜７４とを有する。この構成によれば、発光用リード差込部１２ｃ，１３ｃが差込方向Ｄｓに対して傾いたとしても、発光用リード差込部１２ｃ，１３ｃは、第１〜第４接触片７１〜７４のうちの少なくとも１つの接触片と接触した状態が維持される。したがって、発光モジュール１０とベースユニット１Ｂとの導通不良の発生を抑制できる。
【００７６】
また、ベースユニット１Ｂは、受光用差込領域６０Ｃ，６０Ｄと、受光用差込領域６０Ｃ，６０Ｄ内に設けられ、第１〜第５切込部６１〜６５によって形成された第１〜第４接触片７１〜７４とを有する。この構成によれば、受光用リード２２，２３の受光用リード差込部２２ｃ，２３ｃが差込方向Ｄｓに対して傾いたとしても、受光用リード差込部２２ｃ，２３ｃはそれぞれ、第１〜第４接触片７１〜７４のうちの少なくとも１つの接触片と接触した状態が維持される。したがって、受光モジュール２０とベースユニット１Ｂとの導通不良の発生を抑制できる。
【００７７】
（２）発光用差込領域６０Ａ，６０Ｂの第１〜第４接触片７１〜７４は、発光用リード差込部１２ｃ，１３ｃが差し込まれた状態において、差込方向Ｄｓに反るように湾曲しており、自由端部７１ｂ〜７４ｂが発光用リード差込部１２ｃ，１３ｃに対して対向している。この構成によれば、発光用リード差込部１２ｃ，１３ｃが発光用差込領域６０Ａ，６０Ｂに差し込まれるときに第１〜第４接触片７１〜７４がそれぞれ、固定端部７１ａ〜７４ａを支点として差込方向Ｄｓに向けて湾曲することによって、発光用リード差込部１２ｃ，１３ｃを発光用差込領域６０Ａ，６０Ｂに円滑に挿入できる。
【００７８】
受光用差込領域６０Ｃ，６０Ｄの第１〜第４接触片７１〜７４は、受光用リード２２，２３の受光用リード差込部２２ｃ，２３ｃが差し込まれた状態において、差込方向Ｄｓに反るように湾曲しており、自由端部７１ｂ〜７４ｂが受光用リード差込部２２ｃ，２３ｃに対して対向している。この構成によれば、受光用リード差込部２２ｃ，２３ｃが受光用差込領域６０Ｃ，６０Ｄに差し込まれるときに第１〜第４接触片７１〜７４がそれぞれ、固定端部７１ａ〜７４ａを支点として差込方向Ｄｓに向けて湾曲することによって、受光用リード差込部２２ｃ，２３ｃを受光用差込領域６０Ｃ，６０Ｄに円滑に挿入できる。
【００７９】
（３）発光用差込領域６０Ａ，６０Ｂの第１接触片７１及び第２接触片７２は、平面視において発光用差込領域６０Ａ，６０Ｂの中心Ｃｐに向かうにつれて先細る台形である。この構成によれば、第１接触片７１及び第２接触片７２の自由端部７１ｂ，７２ｂが尖っていないため、発光用差込領域６０Ａに発光用リード差込部１３ｃが差し込まれるときに発光用差込領域６０Ａの第１接触片７１の自由端部７１ｂが発光用リード差込部１３ｃの第１リード側面１３ｓａに形成されためっき層を削ることを抑制でき、第２接触片７２の自由端部７２ｂが発光用リード差込部１３ｃの第２リード側面１３ｓｂに形成されためっき層を削ることを抑制できる。また発光用差込領域６０Ｂに発光用リード差込部１２ｃが差し込まれるときに発光用差込領域６０Ｂの第１接触片７１の自由端部７１ｂが発光用リード差込部１２ｃの第１リード側面１２ｓａに形成されためっき層を削ることを抑制でき、第２接触片７２の自由端部７２ｂが発光用リード差込部１２ｃの第２リード側面１２ｓｂに形成されためっき層を削ることを抑制できる。
【００８０】
受光用差込領域６０Ｃ，６０Ｄの第１接触片７１及び第２接触片７２は、平面視において受光用差込領域６０Ｃ，６０Ｄの中心Ｃｐに向かうにつれて先細る台形である。この構成によれば、第１接触片７１及び第２接触片７２の自由端部７１ｂ，７２ｂが尖っていないため、受光用差込領域６０Ｃに受光用リード２２の受光用リード差込部２２ｃが差し込まれるときに受光用差込領域６０Ｃの第１接触片７１の自由端部７１ｂが受光用リード差込部２２ｃの第１リード側面に形成されためっき層を削ることを抑制でき、第２接触片７２の自由端部７２ｂが受光用リード差込部２２ｃの第２リード側面に形成されためっき層を削ることを抑制できる。また受光用差込領域６０Ｄに受光用リード２３の受光用リード差込部２３ｃが差し込まれるときに受光用差込領域６０Ｄの第１接触片７１の自由端部７１ｂが受光用リード差込部２３ｃの第１リード側面に形成されためっき層を削ることを抑制でき、第２接触片７２の自由端部７２ｂが受光用リード差込部２３ｃの第２リード側面に形成されためっき層を削ることを抑制できる。
【００８１】
（４）発光用差込領域６０Ａ，６０Ｂにおいて、長さ方向Ｄｘにおいて第１接触片７１と第２接触片７２とが対向し、幅方向Ｄｗにおいて第３接触片７３と第４接触片７４とが対向している。この構成によれば、発光用リード差込部１２ｃ，１３ｃのそれぞれに対して長さ方向Ｄｘ及び幅方向Ｄｗと異なる方向で第１〜第４接触片７１〜７４が接触しているため、発光モジュール１０がベースユニット１Ｂに対して傾いても発光用リード差込部１２ｃ，１３ｃと発光用差込領域６０Ａ，６０Ｂの第１〜第４接触片７１〜７４の少なくとも１つとの接触状態が維持され易くなる。このため、発光モジュール１０とベースユニット１Ｂとの導通不良の発生を抑制できる。
【００８２】
受光用差込領域６０Ｃ，６０Ｄにおいて、長さ方向Ｄｘにおいて第１接触片７１と第２接触片７２とが対向し、幅方向Ｄｗにおいて第３接触片７３と第４接触片７４とが対向している。この構成によれば、受光用リード２２，２３の受光用リード差込部２２ｃ，２３ｃのそれぞれに対して長さ方向Ｄｘ及び幅方向Ｄｗと異なる方向で第１〜第４接触片７１〜７４が接触しているため、受光モジュール２０がベースユニット１Ｂに対して傾いても受光用リード差込部２２ｃ，２３ｃと受光用差込領域６０Ｃ，６０Ｄの第１〜第４接触片７１〜７４の少なくとも１つとの接触状態が維持され易くなる。このため、受光モジュール２０とベースユニット１Ｂとの導通不良の発生を抑制できる。
【００８３】
（５）発光用差込領域６０Ａにおいて、第１接触片７１は発光用リード差込部１３ｃの第１リード側面１３ｓａに接触し、第２接触片７２は第２リード側面１３ｓｂに接触し、第３接触片７３は第３リード側面１３ｓｃに接触し、第４接触片７４は第４リード側面１３ｓｄに接触している。発光用差込領域６０Ｂにおいて、第１接触片７１は発光用リード差込部１２ｃの第１リード側面１２ｓａに接触し、第２接触片７２は第２リード側面１２ｓｂに接触し、第３接触片７３は第３リード側面１２ｓｃに接触し、第４接触片７４は第４リード側面１２ｓｄに接触している。この構成によれば、発光モジュール１０がベースユニット１Ｂに対して傾いたとしても発光用差込領域６０Ａの第１〜第４接触片７１〜７４のいずれかが発光用リード差込部１３ｃと接触した状態及び発光用差込領域６０Ｂの第１〜第４接触片７１〜７４のいずれかが発光用リード差込部１２ｃと接触した状態が維持されるため、発光モジュール１０とベースユニット１Ｂとの導通不良をより発生し難くできる。
【００８４】
受光用差込領域６０Ｃにおいて、第１接触片７１は受光用リード２２の受光用リード差込部２２ｃの第１リード側面に接触し、第２接触片７２は受光用リード差込部２２ｃの第２リード側面に接触し、第３接触片７３は受光用リード差込部２２ｃの第３リード側面に接触し、第４接触片７４は受光用リード差込部２２ｃの第４リード側面に接触している。受光用差込領域６０Ｄにおいて、第１接触片７１は受光用リード２３の受光用リード差込部２３ｃの第１リード側面に接触し、第２接触片７２は受光用リード差込部２３ｃの第２リード側面に接触し、第３接触片７３は受光用リード差込部２３ｃの第３リード側面に接触し、第４接触片７４は受光用リード差込部２３ｃの第４リード側面に接触している。この構成によれば、受光モジュール２０がベースユニット１Ｂに対して傾いたとしても受光用差込領域６０Ｃの第１〜第４接触片７１〜７４のいずれかが受光用リード２２の受光用リード差込部２２ｃと接触した状態及び受光用差込領域６０Ｄの第１〜第４接触片７１〜７４のいずれかが受光用リード２３の受光用リード差込部２３ｃと接触した状態が維持されるため、受光モジュール２０とベースユニット１Ｂとの導通不良をより発生し難くできる。
【００８５】
（変更例）
上記実施形態は本開示に関するフォトインタラプタ及び電子部品が取り得る形態の例示であり、その形態を制限することを意図していない。本開示に関するフォトインタラプタ及び電子部品は上記実施形態に例示された形態とは異なる形態を取り得る。その一例は、上記実施形態の構成の一部を置換、変更、もしくは、省略した形態、又は上記実施形態に新たな構成を付加した形態である。以下の変更例において、上記実施形態の形態と共通する部分については、上記実施形態と同一の符号を付してその説明を省略する。
【００８６】
・上記実施形態において、発光用差込領域６０Ａの接触片及び切欠部の形状は任意に変更可能である。一例では、発光用差込領域６０Ａは、図１２（ａ）〜（ｃ）に示すような形状に変更できる。
【００８７】
図１２（ａ）に示すように、平面視において、第１接触片７１及び第２接触片７２の形状が三角形であり、第３接触片７３及び第４接触片７４の形状が台形であってもよい。この場合、第５切込部６５は、発光用差込領域６０Ａの幅方向Ｄｗの中央において長さ方向Ｄｘに延びている。
【００８８】
図１２（ｂ）に示すように、平面視において、各接触片７１〜７４の形状が三角形であってもよい。この場合、第５切込部６５が省略される。各切込部６１〜６４は、発光用差込領域６０Ａの中心Ｃｐにおいて互いに連通している。
【００８９】
この構成によれば、第１接触片７１及び第２接触片７２の長さ方向Ｄｘの寸法、及び第３接触片７３及び第４接触片７４の幅方向Ｄｗの寸法が大きくなるように形成できる。このため、発光用リード差込部１３ｃが発光用差込領域６０Ａに対して長さ方向Ｄｘ及び幅方向Ｄｗの少なくとも一方に対してずれた状態で差し込まれたとしても、各接触片７１〜７４が発光用リード差込部１３ｃに接触し易くなる。
【００９０】
図１２（ｃ）に示すように、平面視において、各接触片７１〜７４の形状が台形であってもよい。この場合、第５切込部６５に代えて、発光用差込領域６０Ａの中心Ｃｐには貫通孔８０が形成されている。平面視において、貫通孔８０は、長さ方向Ｄｘが長辺方向となり、幅方向Ｄｗが短辺方向となる略矩形状に形成されている。
【００９１】
この構成によれば、各接触片７１〜７４が発光用差込領域６０Ａの中心Ｃｐに向かうにつれて先細る台形となるため、第１接触片７１の自由端部７１ｂが発光用リード差込部１３ｃの第１リード側面１３ｓａに形成されためっき層を削ることを抑制でき、第２接触片７２の自由端部７２ｂが第２リード側面１３ｓｂに形成されためっき層を削ることを抑制でき、第３接触片７３の自由端部７３ｂが第３リード側面１３ｓｃに形成されためっき層を削ることを抑制でき、第４接触片７４の自由端部７４ｂが第４リード側面１３ｓｄに形成されためっき層を削ることを抑制できる。
【００９２】
なお、発光用差込領域６０Ｂ及び受光用差込領域６０Ｃ，６０Ｄの少なくとも１つについても発光用差込領域６０Ａと同様にその形状を任意に変更してもよい。この場合、発光用差込領域６０Ａ，６０Ｂ及び受光用差込領域６０Ｃ，６０Ｄの形状が全て同一でなくてもよい。例えば、発光用差込領域６０Ａ，６０Ｂの形状が受光用差込領域６０Ｃ，６０Ｄの形状と異なってもよい。
【００９３】
・上記実施形態において、発光用差込領域６０Ａの接触片の個数は、４つ以上の範囲で任意に変更可能である。例えば、図１３（ａ）（ｂ）に示すように、６個の接触片から構成されてもよいし、図１３（ｃ）に示すように、８個の接触片から構成されてもよい。
【００９４】
図１３（ａ）に示すように、発光用差込領域６０Ａには、第６切込部６６及び第７切込部６７が形成されている。第６切込部６６は、発光用差込領域６０Ａの第１辺Ｓ１の幅方向Ｄｗの中央から発光用差込領域６０Ａの中心Ｃｐに向けて長さ方向Ｄｘに沿って延びている。第６切込部６６は、第５切込部６５に連通している。これにより、第１接触片７１は、２つの接触片７１Ａ，７１Ｂに分割される。第７切込部６７は、発光用差込領域６０Ａの第２辺Ｓ２の幅方向Ｄｗの中央から発光用差込領域６０Ａの中心Ｃｐに向けて長さ方向Ｄｘに沿って延びている。第７切込部６７は、第５切込部６５に連通している。これにより、第２接触片７２は、２つの接触片７２Ａ，７２Ｂに分割される。図示していないが、発光モジュール１０の発光用リード差込部１３ｃが発光用差込領域６０Ａに差し込まれると、接触片７１Ａ，７１Ｂはそれぞれ発光用リード差込部１３ｃの第１リード側面１３ｓａに接触し、接触片７２Ａ，７２Ｂはそれぞれ第２リード側面１３ｓｂに接触する。
【００９５】
図１３（ｂ）に示すように、発光用差込領域６０Ａには、第８切込部６８及び第９切込部６９が形成されている。第８切込部６８は、発光用差込領域６０Ａの第３辺Ｓ３の長さ方向Ｄｘの中央から発光用差込領域６０Ａの中心Ｃｐに向けて幅方向Ｄｗに沿って延びている。第８切込部６８は、第５切込部６５と連通している。これにより、第３接触片７３は、２つの接触片７３Ａ，７３Ｂに分割される。第９切込部６９は、発光用差込領域６０Ａの第４辺Ｓ４の長さ方向Ｄｘの中央から発光用差込領域６０Ａの中心Ｃｐに向けて幅方向Ｄｗに沿って延びている。第９切込部６９は、第５切込部６５と連通している。これにより、第４接触片７４は、２つの接触片７４Ａ，７４Ｂに分割される。
【００９６】
図１３（ｃ）に示すように、発光用差込領域６０Ａには、第６切込部６６、第７切込部６７、第８切込部６８、及び第９切込部６９が形成されている。第６切込部６６及び第７切込部６７は、図１３（ａ）の第６切込部６６及び第７切込部６７と同様の形状であり、第８切込部６８及び第９切込部６９は、図１３（ｂ）の第８切込部６８及び第９切込部６９と同様の形状である。これにより、第１接触片７１は２つの接触片７１Ａ，７１Ｂに分割され、第２接触片７２は２つの接触片７２Ａ，７２Ｂに分割され、第３接触片７３は２つの接触片７３Ａ，７３Ｂに分割され、第４接触片７４は２つの接触片７４Ａ，７４Ｂに分割される。
【００９７】
・上記実施形態では、各接触片７１〜７４は、固定端部７１ａ〜７４ａから自由端部７１ｂ〜７４ｂに向かうにつれて高さ方向Ｄｚの下方に向けて傾斜していたが、これに限られない。例えば、各接触片７１〜７４の少なくとも１つは、高さ方向Ｄｚにおいて固定端部と自由端部とが同じ位置となるように設けられてもよい。
【００９８】
・上記実施形態では、発光モジュール１０及び受光モジュール２０が封止樹脂３０によって一体化されていたが、検出ユニット１Ａの構成はこれに限られない。発光モジュール１０及び受光モジュール２０は、個別に封止樹脂３０によって封止されてもよい。具体的には、図１４に示すように、封止樹脂３０から連結部３３が省略され、発光側封止部３１と受光側封止部３２とが別体として形成されている。ベースユニット１Ｂのハウジング５０には、例えば凸部５２が設けられている。凸部５２は、ハウジング５０における発光モジュール１０の端子１２ｔ，１３ｔが挿入される貫通孔５１ａと、受光モジュール２０の端子２２ｔ，２３ｔが挿入される貫通孔５１ａとの長さ方向Ｄｘの間に設けられている。凸部５２は、ハウジング５０の高さ方向Ｄｚの端面から高さ方向Ｄｚに突出している。発光側封止部３１と受光側封止部３２とを凸部５２に当接させることによって、発光モジュール１０と受光モジュール２０との位置関係を適切に設定できる。また、ハウジング５０に対して、発光モジュール１０と受光モジュール２０とを反対に装着すれば、同一部品を用いて光の進行方向が異なるフォトインタラプタを実現できる。なお、ハウジング５０から凸部５２を省略してもよい。
【００９９】
・上記実施形態では、発光モジュール１０及び受光モジュール２０に樹脂材料をモールド成形することによって発光モジュール１０及び受光モジュール２０と一体化した封止樹脂３０を形成したが、封止樹脂３０の構成はこれに限られない。例えば、封止樹脂３０として、発光モジュール１０が収容される発光用収容部及び受光モジュール２０が収容される受光用収容部を有する構成であってもよい。すなわち、封止樹脂３０の発光用収容部に発光モジュール１０が挿入され、受光用収容部に受光モジュール２０が挿入される。発光用収容部には、発光素子１１の光が発光用収容部から出射可能な出射部が設けられている。受光用収容部には、受光用収容部から受光素子２１が発光素子１１の光を受光可能な入射部が設けられている。
【０１００】
・上記実施形態において、封止樹脂３０を省略してもよい。すなわち発光モジュール１０は、発光素子１１と、発光用透光樹脂１４と、発光用リード１２，１３とから構成される。受光モジュール２０は、受光素子２１と、受光用透光樹脂２４と、受光用リード２２，２３とから構成される。
【０１０１】
・上記実施形態では、発光モジュール１０及び受光モジュール２０は共通のベースユニット１Ｂに取り付けられていたが、これに限られない。例えば、ベースユニット１Ｂに代えて、発光用ベースユニット及び受光用ベースユニットが個別に設けられてもよい。発光用ベースユニットのベースには、発光用差込領域６０Ａ，６０Ｂが形成され、受光用ベースユニットのベースには、受光用差込領域６０Ｃ，６０Ｄが形成される。
【０１０２】
・上記実施形態において、発光モジュール１０のリードの個数及び受光モジュール２０のリードの個数は、任意に変更可能である。例えば、発光モジュール１０は、３個の発光用リードを備えてもよい。この場合、各発光用リードは、発光用透光樹脂１４から突出する発光用リード差込部を含む。また例えば、受光モジュール２０は、３個の受光用リードを備えてもよい。この場合、各受光用リードは、受光用透光樹脂２４から突出する受光用リード差込部を含む。
【０１０３】
・上記実施形態において、透過型フォトインタラプタに限られず、反射型フォトセンサに用いられてもよい。
・上記実施形態において、フォトインタラプタ以外のモジュール及びベースを有する電子部品に適用してもよい。一例では、図１５に示すように、モジュール９０は、素子９１と、素子９１に接続されたリード９２，９３，９４とを有する。また、モジュール９０は、素子９１及びリード９２，９３，９４の一部を覆う封止樹脂９５を有する。素子９１の一例は、ホール素子である。リード９２，９３，９４はそれぞれ、封止樹脂９５から突出したリード差込部９２ａ，９３ａ，９４ａを有する。ベースユニット９６は、ベース９７Ａ，９７Ｂ，９７Ｃ及びベース９７Ａ〜９７Ｃを保持する保持部９８を有する。ベース９７Ａには、リード９２が差し込まれる第１差込領域９９Ａが形成されている。ベース９７Ｂには、リード９３が差し込まれる第２差込領域９９Ｂが形成されている。ベース９７Ｃには、リード９４が差し込まれる第３差込領域９９Ｃが形成されている。各差込領域９９Ａ，９９Ｂ，９９Ｃは例えば発光用差込領域６０Ａと同じ形状である。
【符号の説明】
【０１０４】
１…フォトインタラプタ
１Ｃ…コネクタ
１０…発光モジュール
１１…発光素子（一方の素子）
１２，１３…発光用リード（リード）
１２ｃ…発光用リード差込部（リード差込部）
１３ｃ…発光用リード差込部（リード差込部）
１２ｓａ…第１リード側面
１２ｓｂ…第２リード側面
１２ｓｃ…第３リード側面
１２ｓｄ…第４リード側面
１４…発光用透光樹脂（透光樹脂）
２０…受光モジュール
２１…受光素子（一方の素子）
２２，２３…受光用リード（リード）
２２ｃ…受光用リード差込部（リード差込部）
２３ｃ…受光用リード差込部（リード差込部）
２４…受光用透光樹脂（透光樹脂）
４０…ベース
４１…第１接続部
４２…第２接続部
４３…第３接続部
６０Ａ，６０Ｂ…発光用差込領域（差込領域）
６０Ｃ，６０Ｄ…受光用差込領域（差込領域）
６１…第１切込部（切込部）
６２…第２切込部（切込部）
６３…第３切込部（切込部）
６４…第４切込部（切込部）
６５…第５切込部（切込部）
６６…第６切込部（切込部）
６７…第７切込部（切込部）
６８…第８切込部（切込部）
６９…第９切込部（切込部）
７１…第１接触片（接触片）
７１Ａ，７１Ｂ…接触片
７１ａ…固定端部
７１ｂ…自由端部
７２…第２接触片（接触片）
７２Ａ，７２Ｂ…接触片
７２ａ…固定端部
７２ｂ…自由端部
７３…第３接触片（接触片）
７３Ａ，７３Ｂ…接触片
７３ａ…固定端部
７３ｂ…自由端部
７４…第４接触片（接触片）
７４Ａ，７４Ｂ…接触片
７４ａ…固定端部
７４ｂ…自由端部
９０…モジュール
９１…素子
９２…リード
９２ａ…リード差込部
９３…リード
９３ａ…リード差込部
９４…リード
９４ａ…リード差込部
９７Ａ，９７Ｂ，９７Ｃ…ベース
９９Ａ…第１差込領域（差込領域）
９９Ｂ…第２差込領域（差込領域）
９９Ｃ…第３差込領域（差込領域）
Ｄｘ…長さ方向（第１方向）
Ｄｗ…幅方向（第２方向）
Ｓ１…第１辺
Ｓ２…第２辺
Ｓ３…第３辺
Ｓ４…第４辺
Ｃｒ１，Ｃｒ２，Ｃｒ３，Ｃｒ４…交差点
【図１】
2020170802.tif 000003
【図２】
2020170802.tif 000004
【図３】
2020170802.tif 000005
【図４】
2020170802.tif 000006
【図５】
2020170802.tif 000007
【図６】
2020170802.tif 000008
【図７】
2020170802.tif 000009
【図８】
2020170802.tif 000010
【図９】
2020170802.tif 000011
【図１０】
2020170802.tif 000012
【図１１】
2020170802.tif 000013
【図１２】
2020170802.tif 000014
【図１３】
2020170802.tif 000015
【図１４】
2020170802.tif 000016
【図１５】
2020170802.tif 000017